(57)【要約】  本発明は、無段調整可能な円錐形ディスク式変速機用のリンクプレートチェーンであって、リンクプレートチェーンの、複数のリンクプレート（２８）を有する複数のチェーンリンク（１４，１６，１８）が、複数のロッカーピン（３０）を有するジョイントによって互いに結合されており、ロッカーピン（３０）の端面が、リンクプレートチェーンと円錐形ディスクとの間で摩擦力を伝達し、リンクプレート（２８）の少なくとも１つ、好ましくは、リンクプレート（２８）の各々が、少なくとも１つのオーバラップ突端を有しており、リンクプレートチェーンが、３列反復型リンクプレート編成におけるチェーンパターンを有しており、３列反復型リンクプレート編成では、連続する３つのチェーンリンク（１４，１６，１８）が、１つの三つ組リンク（１０）を形成していて、リンクプレートチェーンの走行方向に対して横方向に、それぞれ少なくとも１つのリンクプレート（２８）を備えたリンクプレートユニット（２４，２６）のそれぞれ異なるリンクプレート配列（２２）を有していて、リンクプレートチェーンの走行方向で繰り返されている、リンクプレートチェーンに関する。リンクプレートユニット（２４，２６）が、複数の第１のリンクプレートユニット（２４）と複数の第２のリンクプレートユニット（２６）とを有しており、第１のリンクプレートユニット（２４）の各々が、規定された厚さの単一のリンクプレート（２８）として形成されており、第２のリンクプレートユニット（２６）の各々が、第１のリンクプレートユニット（２４）よりも十分に大きな厚さを有しており、チェーンリンクのうちの第１のチェーンリンク（１４）が、第１のリンクプレートユニット（２４）だけを有しており、チェーンリンクのうちの第２のチェーンリンク（１６）が、第１のリンクプレートユニット（２４）だけを有しているか、または第１のリンクプレートユニット（２４）だけでなく、少なくとも１つの第２のリンクプレートユニット（２６）も有していて、後者の場合には、リンクプレート配列の外側のリンクプレートユニットが、第１のリンクプレートユニット（２４）であり、チェーンリンクのうちの第３のチェーンリンク（１８）が、第２のリンクプレートユニット（２６）だけを有していることが特定されている。
2018525582.tif 000002
【特許請求の範囲】
【請求項１】
無段調整可能な円錐形ディスク式変速機用のリンクプレートチェーンであって、該リンクプレートチェーンの、複数のリンクプレート（２８）を有する複数のチェーンリンク（１４，１６，１８）が、複数のロッカーピン（３０）を有するジョイントによって互いに結合されており、前記ロッカーピン（３０）の端面が、前記リンクプレートチェーンと円錐形ディスクとの間で摩擦力を伝達し、前記リンクプレート（２８）の少なくとも１つ、好ましくは前記リンクプレート（２８）の各々が、少なくとも１つのオーバラップ突端を有しており、前記リンクプレートチェーンが、３列反復型リンクプレート編成におけるチェーンパターンを有しており、前記３列反復型リンクプレート編成では、連続する３つのチェーンリンク（１４，１６，１８）が、１つの三つ組リンク（１０）を形成していて、前記リンクプレートチェーンの走行方向に対して横方向に、それぞれ少なくとも１つのリンクプレート（２８）を備えたリンクプレートユニット（２４，２６）のそれぞれ異なるリンクプレート配列（２２）を有していて、前記リンクプレートチェーンの前記走行方向で繰り返されており、前記リンクプレートユニット（２４，２６）が、複数の第１のリンクプレートユニット（２４）と複数の第２のリンクプレートユニット（２６）とを有しており、前記第１のリンクプレートユニット（２４）の各々が、規定された厚さの単一のリンクプレート（２８）として形成されており、前記第２のリンクプレートユニット（２６）の各々が、前記第１のリンクプレートユニット（２４）よりも十分に大きな厚さを有しており、
前記チェーンリンクのうちの第１のチェーンリンク（１４）が、前記第１のリンクプレートユニット（２４）だけを有しており、
前記チェーンリンクのうちの第２のチェーンリンク（１６）が、前記第１のリンクプレートユニット（２４）だけを有しているか、または前記第１のリンクプレートユニット（２４）だけでなく、少なくとも１つの前記第２のリンクプレートユニット（２６）も有していて、後者の場合には、前記リンクプレート配列の外側の前記リンクプレートユニットが、前記第１のリンクプレートユニット（２４）であり、
前記チェーンリンクのうちの第３のチェーンリンク（１８）が、前記第２のリンクプレートユニット（２６）だけを有している、
リンクプレートチェーン。
【請求項２】
前記第２のリンクプレートユニット（２６）の厚さが、前記第１のリンクプレートユニット（２４）の厚さの二倍であることを特徴とする、請求項１記載のリンクプレートチェーン。
【請求項３】
前記第２のリンクプレートユニット（２６）が、前記規定された厚さの単一の前記リンクプレート（２８）よりも大きな厚さを有する単一の肉厚のリンクプレートとして形成されていることを特徴とする、請求項１または２記載のリンクプレートチェーン。
【請求項４】
前記チェーンリンクのうちの第１のチェーンリンク（１４）が、
６個またはそれ以下の前記第１のリンクプレートユニット（２４）を有しているか、または
１０個またはそれ以上の前記第１のリンクプレートユニット（２４）を有している
ことを特徴とする、請求項１から３までのいずれか１項記載のリンクプレートチェーン。
【請求項５】
個々の前記チェーンリンク（１４，１６，１８）における前記リンクプレート（２８）の長さがそれぞれ異なっており、特に二種類の長さのリンクプレート（２８）、つまり、短い方のショートリンクプレートと長い方のロングリンクプレートとが設けられており、それぞれ異なる長さのリンク（１４，１６，１８）が、チェーン走行方向に不等に分配されて配置されていることを特徴とする、請求項１から４までのいずれか１項記載のリンクプレートチェーン。
【請求項６】
連続する３つの前記チェーンリンク（１４，１６，１８）から形成された１つの三つ組リンク（１０）が、前記ロングリンクプレートを備えた２つのチェーンリンク（１４，１６，１８）を有していることを特徴とする、請求項５記載のリンクプレートチェーン。
【請求項７】
前記リンクプレートチェーンが、前記走行方向に対して横方向で、６つのリンクプレート（２８）を備えた少なくとも１つのブロック（３４）から構成されており、該ブロック（３４）自体が、連続する３つの前記チェーンリンク（１４，１６，１８）から形成された１つの三つ組リンク（１０）を成していることを特徴とする、請求項１から６までのいずれか１項記載のリンクプレートチェーン。
【請求項８】
複数のブロック（３４）が、前記走行方向に対して横方向に並列されていることを特徴とする、請求項７記載のリンクプレートチェーン。
【請求項９】
前記ブロック（３４）によって、一種の組立てキットの形態でそれぞれ異なる幅のリンクプレートチェーンが形成可能であることを特徴とする、請求項７または８記載のリンクプレートチェーン。
【請求項１０】
前記ブロック（３４）の前記リンクプレート（２８）が、結果的に形成される前記リンクプレートチェーンの前記走行方向に対して横方向の積重ね方向において前記チェーンリンク（１４，１６，１８）に次のように、つまり、第２のチェーンリンク（１６）、第１のチェーンリンク（１４）、第３のチェーンリンク（１８）、第３のチェーンリンク（１８）、第１のチェーンリンク（１４）および第２のチェーンリンク（１６）の順序で割り当てられていることを特徴とする、請求項７から９までのいずれか１項記載のリンクプレートチェーン。
【発明の詳細な説明】
【技術分野】
【０００１】
本発明は、円錐形ディスク対を備えた巻掛け式ＣＶＴ（CVT: Continuously Variable Transmission）用のリンクプレートチェーンであって、リンクプレートチェーンのリンクが、複数のリンクプレートから成っており、リンクプレートが、ジョイントを形成する複数のロッカーピン（Wiegedruckstueck）によって互いに結合されており、ロッカーピンの端面が、リンクプレートチェーンと円錐形ディスクとの間で摩擦力を伝達し、リンクプレートの少なくとも１つ、好ましくはリンクプレートの各々が、少なくとも１つのオーバラップ突端を有しており、リンクプレートチェーンが、３列反復型リンクプレート編成（Dreilaschenverband）におけるチェーンパターンを有しており、３列反復型リンクプレート編成では、連続する３つのチェーンリンクが、リンクプレートチェーンの走行方向に対して横方向に、それぞれ少なくとも１つのリンクプレートを備えたリンクプレートユニットのそれぞれ異なるリンクプレート配列を有していて、リンクプレートチェーンの長手方向で繰り返されている、リンクプレートチェーンに関する。
【背景技術】
【０００２】
複数のリンクプレートをチェーン幅にわたって編成して配置することは、チェーンの強度および寿命に大きな影響を与える。チェーンは、複数の三つ組リンク（Tripel）を有する、いわゆる「３列反復型リンクプレート編成」で構成されている。つまり、リンクプレートの配置が、リンクプレートタイプを考慮することなしに、全部で３つのリンクを繰り返している。一般的には、円錐形ディスクへのロッカーピンの衝突により生じる騒音発生を最小限に抑えるかまたは消し去るために、不等な長さのリンクを形成するそれぞれ異なる長さのリンクプレートタイプも使用される。
【０００３】
国際公開第２００８／０７１１４５号には、無段調整可能な円錐形ディスク式変速機用の種々異なるリンクプレートチェーンが示されている。これらのリンクプレートチェーンの、複数のリンクプレートを有する複数のチェーンリンクは、複数のロッカーピンを有するジョイントによって互いに結合されている。このジョイントの端面は、リンクプレートチェーンと円錐形ディスクとの間で摩擦力を伝達する。リンクプレートチェーンは、３列反復型リンクプレート編成におけるチェーンパターンを有している。３列反復型リンクプレート編成では、連続する３つのチェーンリンク（いわゆる「三つ組リンク」）が、リンクプレートチェーンの走行方向に対して横方向に、それぞれ少なくとも１つのリンクプレートを備えたリンクプレートユニットのそれぞれ異なるリンクプレート配列を有していて、リンクプレートチェーンの長手方向で繰り返されている。種々異なるリンクプレートチェーンのうちの幾つかのリンクプレートチェーンのリンクプレートは、オーバラップ突端を有している、つまり、突端リンクプレートである。図示されているリンクプレートチェーンのうちの別のリンクプレートチェーンでは、オーバラップ突端を有するリンクプレート、つまり、突端リンクプレートが完全に省略されている。
【発明の概要】
【発明が解決しようとする課題】
【０００４】
本発明の課題は、運転中にリンクプレートとロッカーピンとにかかる最大の負荷を一層低減して、より長い寿命を有するチェーンを提供することである。
【課題を解決するための手段】
【０００５】
この課題は、請求項１の特徴を有するリンクプレートチェーンによって解決される。
【０００６】
無段調整可能な円錐形ディスク式変速機用のリンクプレートチェーンであって、このリンクプレートチェーンの、複数のリンクプレートを有する複数のチェーンリンクが、複数のロッカーピンを有するジョイントによって互いに結合されており、ロッカーピンの端面が、リンクプレートチェーンと円錐形ディスクとの間で摩擦力を伝達し、リンクプレートの少なくとも１つ、好ましくは複数のリンクプレート、特にリンクプレートの各々が、少なくとも１つのオーバラップ突端を有しており、リンクプレートチェーンが、３列反復型リンクプレート編成におけるチェーンパターンを有しており、３列反復型リンクプレート編成では、連続する３つのチェーンリンクが、リンクプレートチェーンの走行方向に対して横方向に、それぞれ少なくとも１つのリンクプレートを備えたリンクプレートユニットのそれぞれ異なるリンクプレート配列を有していて、リンクプレートチェーンの長手方向で繰り返されている、リンクプレートチェーンにおいて、本発明によれば、リンクプレートユニットが、複数の第１のリンクプレートユニットと複数の第２のリンクプレートユニットとを有しており、第１のリンクプレートユニットの各々が、規定された厚さの単一のリンクプレートとして形成されており、第２のリンクプレートユニットの各々が、第１のリンクプレートユニットよりも十分に大きな厚さを有しており、（ｉ）チェーンリンクのうちの第１のチェーンリンクが、第１のリンクプレートユニットだけを有しており、（ｉｉ）チェーンリンクのうちの第２のチェーンリンクが、第１のリンクプレートユニットだけを有しているか、または第１のリンクプレートユニットだけでなく、少なくとも１つの第２のリンクプレートユニットも有していて、後者の場合には、リンクプレート配列の外側のリンクプレートユニットが、第１のリンクプレートユニットであり、（ｉｉｉ）チェーンリンクのうちの第３のチェーンリンクが、第２のリンクプレートユニットだけを有していることが特定されている。試験してみて、このように構成されたリンクプレートチェーンは、３列反復型リンクプレート編成における別のチェーンパターンを有する公知のリンクプレートチェーンに比べて、より高い強度とより長い寿命とを有していることが判った。
【０００７】
本発明の枠内で扱われている３列反復型リンクプレート編成におけるリンクプレートチェーンでは、オーバラップ突端が、特に個々のリンクプレート相互の引っ掛かりを阻止するために役立つ。リンクプレートチェーンにおけるオーバラップ突端を備えたリンクプレート（つまり、突端リンクプレート）およびリンクプレート突端の機能についての更なる詳細は、例えば、冒頭で述べた国際公開第２００８／０７１１４５号から知ることができる。
【０００８】
特にチェーンリンクのうちの第２のチェーンリンクが、第１のリンクプレートユニットだけを有しているか、または第１のリンクプレートユニットだけでなく、少なくとも１つの第２のリンクプレートユニットも有しており、後者の場合には、リンクプレート配列の外側のリンクプレートユニットだけが、第１のリンクプレートユニットである、つまり、外側に配置されていない１つまたはそれ以上の別のリンクプレートユニットが、第２のリンクプレートユニットであることが特定されている。
【０００９】
本発明の好適な実施の形態によれば、第２のリンクプレートユニットの厚さが、第１のリンクプレートユニットの厚さの二倍であることが特定されている。
【００１０】
試験してみて、本発明による構造によって、走行方向に対して横方向の各リンクプレート配列におけるリンクプレートまたはリンクプレートユニットの個数に関係なく、つまり、チェーン幅に関係なく、運転中にリンクプレートとロッカーピンとに比較的少ない負荷がかかることが判った。このことは、特に比較的狭幅のリンクプレートチェーンに対しても比較的広幅のリンクプレートチェーンに対しても重要であると判明した。なぜならば、本発明では、運転中にリンクプレートとロッカーピンとにかかる最大の負荷を低減することが特に必要となっているからである。これに相応して、有利には、チェーンリンクのうちの第１のチェーンリンクが、６個またはそれ以下（つまり、２個、４個または６個）の第１のリンクプレートユニットを有しているか、または１０個またはそれ以上（つまり、１０個、１２個、１４個、・・・）の第１のリンクプレートユニットを有していることが特定されている。
【００１１】
本発明の別の好適な実施の形態によれば、第２のリンクプレートユニットが、２つのリンクプレートから成形されたダブルリンクプレートとして形成されている。
【００１２】
前述のようなリンクプレートチェーンは、一連の有利な実施の形態において、３列反復型リンクプレート編成におけるチェーンパターンを有している。３列反復型リンクプレート編成では、連続する３つのリンク（三つ組リンク）が、チェーンの走行方向に対して横方向に、シングルリンクプレートとダブルリンクプレートとを備えたそれぞれ異なるリンクプレート配列を有していて、チェーンの長手方向で繰り返されている。本発明では、シングルリンクプレートがダブルリンクプレートに対して特定の形態で配置されている。この場合、第１のリンク（チェーンリンクのうちの第１のチェーンリンク）はシングルリンクプレートからのみ成っている。第２のリンク（チェーンリンクのうちの第２のチェーンリンク）は、シングルリンクプレートおよび／またはダブルリンクプレートから成っていて、外側のリンクプレートがシングルリンクプレートであり、残りのリンクプレートがダブルリンクプレートである。第３のリンク（チェーンリンクのうちの第３のチェーンリンク）はダブルリンクプレートからのみ成っている。
【００１３】
代替的に、同じく有利には、第２のリンクプレートユニットが、規定された厚さの単一のリンクプレートよりも大きな厚さ、特に二倍の厚さを有する単一の肉厚のリンクプレート（肉厚リンクプレート）として形成されていることが特定されている。言い換えると、前述したダブルリンクプレートを、二倍のリンクプレート厚さを有する単一の肉厚リンクプレートによって形成することができる。しかし、この肉厚リンクプレートは、二倍の厚さと異なる厚さを有していてもよい。
【００１４】
さらに、チェーン中間におけるダブルリンクプレートがシングルリンクプレートによって置き換えられてよく、これによって、チェーンをその幅に関して一層臨機応変に構成することができる。
【００１５】
三つ組リンク構造は、リンクプレートタイプ、つまり、長いリンクプレートが使用されるのか、短いリンクプレートが使用されるのかにも、リンクプレートのピッチにも左右されない。したがって、個々のチェーンリンクにおけるリンクプレートの長さがそれぞれ異なっている。特に二種類の長さのリンクプレート、つまり、ショートリンクプレートと、このショートリンクプレートに比べて長いロングリンクプレートとが設けられている。リンクプレートまたは少なくとも一部のリンクプレートがオーバラップ突端を有しているので、三つ組リンクの三つ組リンク構造に対して、オーバラップ突端を備えたリンクプレートの使用の省略時に機能制限を招く恐れがある可能性が生じる。したがって、オーバラップ突端を備えたリンクプレートを３列反復型リンクプレート編成において使用することによって、２つのロングリンクプレートを直接連続させることが可能となる。このことは、オーバラップ突端を備えたリンクプレートの使用の省略時には恐らく不可能である。
【００１６】
有利には、それぞれ異なる長さのチェーンリンクが、チェーン走行方向に不等に配置されている。
【００１７】
チェーンは、リンクまたは三つ組リンクごとに２つのリンクプレートを備えて、それぞれ６つのリンクプレートを有する複数のブロックから構成することができる。ブロックはやはり遊び対称的であり、３つのリンクプレートから成っている。
【００１８】
ブロックによって、一種の組立てキットの形態でそれぞれ異なる幅のリンクプレートチェーンを形成することができる。チェーンは少なくとも１つのブロックから成っている。
【００１９】
各リンクに対するリンクプレートの個数は等しくてよい。好適には、リンクにおけるリンクプレートの個数が、２によって割り切れる。
【００２０】
特に複数のブロックが、走行方向に対して横方向に並列されている。
【００２１】
有利には、ブロックによって、一種の組立てキットの形態でそれぞれ異なる幅のリンクプレートチェーンが形成可能である。
【００２２】
本発明の別の好適な実施の形態によれば、ブロックのリンクプレートが、結果的に形成されるリンクプレートチェーンの走行方向に対して横方向の積重ね方向において三つ組リンクのチェーンリンクに次のように、つまり、第２のチェーンリンク、第１のチェーンリンク、第３のチェーンリンク、第３のチェーンリンク、第１のチェーンリンクおよび第２のチェーンリンクの順序で割り当てられることが特定されている。
【００２３】
ブロックの最初の３つのリンクプレートを、結果的に形成されるリンクプレートチェーンの走行方向に対して横方向の積重ね方向において三つ組リンクのチェーンリンクに次のように、つまり、第２のチェーンリンク、第１のチェーンリンク、第３のチェーンリンクの順序で割り当てると、鏡映によって、６枚型ブロックが得られる。この６枚型ブロックは、それぞれ異なる幅のチェーンを形成するために、しばしば任意に並列されてよい。この場合、リンクプレートの長さおよびリンクプレートタイプは重要ではない。
【００２４】
本発明は、さらに、連続する３つのチェーンリンクを備えた複数の三つ組リンクにより構成される３列反復型リンクプレート編成における前述したリンクプレートチェーンを構成する方法に関する。本発明に係る方法では、三つ組リンクの各々が、６つのリンクプレートを備えた少なくとも１つのブロックから構成されることが特定されている。
【００２５】
以下に、本発明を添付の図面を参照しながら好適な複数の実施例に基づき例説する。以下に示す複数の特徴は、それぞれ単独でも、組み合わせても、本発明の１つの態様を成すことができる。
【図面の簡単な説明】
【００２６】
【図１】本発明に係るリンクプレートチェーンではないリンクプレートチェーンの３つのチェーンリンクから成る１つの三つ組リンクの基本的な構造を示す図である。
【図２ａ】本発明に係るリンクプレートチェーンのそれぞれ異なる実施の形態に対するそれぞれ３つのチェーンリンクから成る２つの三つ組リンクを示す図である。
【図２ｂ】図２ａに示した三つ組リンクのうちの１つの三つ組リンクの構造を示す図である。
【図３】三つ組リンクを形成するためのトリプルリンクプレートユニットを示す図である。
【図４】本発明に係るリンクプレートチェーンのそれぞれ異なる実施の形態を形成するための、複数のトリプルリンクプレートユニットから成る１つのモジュールの構造を示す図である。
【図５】本発明に係るリンクプレートチェーンのそれぞれ異なる実施の形態に対する、複数のモジュールから形成された２つの三つ組リンクを示す図である。
【図６ａ】本発明に係るリンクプレートチェーンの１つの実施の形態の、図５に示した第１の三つ組リンクから形成されたチェーンピースを示す図である。
【図６ｂ】本発明に係るリンクプレートチェーンの１つの実施の形態の、図５に示した第２の三つ組リンクから形成されたチェーンピースを示す図である。
【発明を実施するための形態】
【００２７】
図１には、３列反復型リンクプレート編成で形成されるリンクプレートチェーンの走行方向（双方向矢印１２）に相前後して配置される３つのチェーンリンク１４，１６，１８から成る三つ組リンク１０の基本的な構造が示してある。チェーンリンク１４，１６，１８は、まず、図１の左側に個別に示してあるのに対して、図１の右側には、三つ組リンク１０に組み立てた形で示してある。ただし、図１に示した三つ組リンク１０は、本発明に係るリンクプレートチェーンを構成するための三つ組リンク１０に相当しておらず、ここでは、基本的な構造を説明すると共に個々の構成部材を紹介するために用いたにすぎない。三つ組リンク１０は、無段調整可能な円錐形ディスク式変速機用の、３列反復型リンクプレート編成で構成されたリンクプレートチェーンの特徴的なユニットである。リンクプレートチェーンのチェーンリンク１４，１６，１８の各々は、それぞれリンクプレートチェーンの走行方向に対して横方向（双方向矢印２０）に配置されたリンクプレート配列２２を有している。このリンクプレート配列２２は複数のリンクプレートユニット２４，２６を備えている。これらのリンクプレートユニット２４，２６自体は複数のリンクプレート２８から形成されている。これら全てのリンクプレート２８または少なくとも一部のリンクプレート２８は突端リンクプレートとして、つまり、それぞれ少なくとも１つのオーバラップ突端を備えたリンクプレート２８として形成されている。相応のチェーンリンク１４，１６，１８のリンクプレート配列２２は、相応のチェーンリンク１４，１６，１８特有のものである。この場合、各チェーンリンクまたは各チェーンリンクのリンクプレート配列２２が、３列反復型リンクプレート編成におけるリンクプレートパターンに従ってリンクプレートチェーンの走行方向（双方向矢印１２）で繰り返される。チェーンリンク１４，１６，１８は、複数のロッカーピン３０を有するジョイントによって互いに結合されている。ロッカーピンまたはジョイント３０の端面は、リンクプレートチェーンと円錐形ディスクとの間で摩擦力を伝達する。チェーンリンク１４，１６，１８を構成するために、二種類のタイプのリンクプレートユニット２４，２６が設けられている。第１のリンクプレートユニット２４の各々、つまり、第１のタイプの各リンクプレートユニットは、規定された厚さの単一のリンクプレート２８として形成されており、第２のリンクプレートユニットの各々、つまり、第２のタイプの各リンクプレートユニットは、第１のリンクプレートユニットよりも十分に大きな厚さを有している。図示の例では、第２のリンクプレートユニット２６の厚さは、第１のリンクプレートユニット２４の厚さの二倍である。なぜならば、第２のリンクプレートユニット２６が、規定された厚さの、互いに平行に接触し合う２つのリンクプレート２８を有しているからである。つまり、第２のリンクプレートユニット２６は、２つのリンクプレート２８から成形されたダブルリンクプレートとして形成されている。
【００２８】
図１の概略図には、リンクプレート２８が全て等しい長さで示してあるが、個々のチェーンリンク１４，１６，１８におけるリンクプレート２８の長さは、当然ながら、それぞれ異なっていてもよい。特に二種類の長さのリンクプレート２８、つまり、短い方のショートリンクプレートと長い方のロングリンクプレートとが存在していてよい。この場合には、通常、それぞれ異なる長さのチェーンリンク１４，１６，１８が、チェーン走行方向に不等に分配されて配置される。
【００２９】
図２ａには、３列反復型リンクプレート編成における本発明に係るリンクプレートチェーン用の互いに異なる幅の三つ組リンク１０の２つの概略図が示してある。両図には、特に複数のロッカーピン３０から形成されるジョイントは示していない。ここでも、チェーンリンク１４，１６，１８を構成するために、二種類のタイプのリンクプレートユニット２４，２６が設けられている。ここでも、第１のリンクプレートユニット２４の各々、つまり、第１のタイプの各リンクプレートユニットは、規定された厚さの単一のリンクプレート２８として形成されており、第２のリンクプレートユニット２６の各々、つまり、第２のタイプの各リンクプレートユニットは、第１のリンクプレートユニット２４よりも十分に大きな厚さ、つまりまた、第１のリンクプレートユニット２４の厚さの二倍の厚さを有している。なぜならば、第２のリンクプレートユニット２６が、規定された厚さの、互いに平行に接触し合う２つのリンクプレート２８を有しているからである。さらに、この三つ組リンク１０または三つ組リンク１０から構成されたリンクプレートチェーンでは、（ｉ）第１のチェーンリンク１４が、第１のリンクプレートユニット２４だけを有しており、（ｉｉ）第２のチェーンリンク１６が、第１のリンクプレートユニット２４と第２のリンクプレートユニット２６とを有していて、このとき、リンクプレート配列２２のうちの外側の両リンクプレートユニット２４だけが、第１のリンクプレートユニット２４であり、（ｉｉｉ）第３のチェーンリンク１８が、第２のリンクプレートユニット２６だけを有していることが特定されている。
【００３０】
図３〜図６ｂでは、三つ組リンク１０と、この三つ組リンク１０から構成されたリンクプレートチェーンとの構造および構成の別の態様について説明するので、以下では、三つ組リンク１０と、この三つ組リンク１０から構成されたリンクプレートチェーンとの構造については再度詳細に説明せず、特に別の態様について論述することにする。
【００３１】
図２ｂには、３つのチェーンリンク１４，１５，１６がどのように結合されて１つの三つ組リンク１０を形成しているのかが示してある。形成された三つ組リンク１０は、図２ａの左側に示した三つ組リンク１０に相当している。
【００３２】
図３には、三つ組リンク１０をモジュール式に構成するためのトリプルリンクプレートユニット３２における３つのリンクプレート２８の配置形態が示してある。このトリプルリンクプレートユニット３２の３つのリンクプレート２８は、結果的に形成されるリンクプレートチェーンの走行方向に対して横方向の積重ね方向（双方向矢印２０）において三つ組リンク１０のチェーンリンクに次のように、つまり、第２のチェーンリンク１６、第１のチェーンリンク１４、第３のチェーンリンク１８の順序で割り当てられている。最初の３つのリンクプレート２８を図３に示したように配置すると、鏡映によって、図４に示した６枚型ブロック（ブロック３４）が得られる。このブロック３４自体は、極めて単純な三つ組リンク１０である。図４には、チェーンリンク１４，１６，１８ごとに２つのリンクプレートを備えて６つのリンクプレートから成る前述のようなブロック３４の構造が示してある。図３に示したトリプルリンクプレートユニット３２の鏡映により得られた２つのトリプルリンクプレートユニット３２が、１つのブロック３４を形成している。このブロック３４は、それぞれ異なる幅の三つ組リンク１０またはチェーンを形成するために、しばしば任意に並列されてよい。この場合、リンクプレート２８の長さおよびリンクプレートタイプは重要ではない。
【００３３】
図５には、チェーン幅が、ブロック３４の個数に関連して二種類のチェーン幅、つまり、４つのブロック３４（右側）の幅または５つのブロック（左側）の幅で示してある。
【００３４】
最後に、図６ａおよび図６ｂには、チェーン走行方向に対して横方向に４つのブロック３４（図６ａ）または５つのブロック３４（図６ｂ）を備えた二種類の幅のチェーンにおいて、長さにわたって５つの三つ組リンク１０を並列させた各チェーンピース３６に基づくリンクプレートチェーンの構造が示してある。
【００３５】
以下に、図示の三つ組リンク１０から形成可能なリンクプレートチェーンの特性を言い換えて再度説明する。
【００３６】
無段調整可能な円錐形ディスク式変速機用のリンクプレートチェーンであって、このリンクプレートチェーンの、複数のリンクプレート２８から成る複数のチェーンリンク１４，１６，１８が、複数のロッカーピン３０から成るジョイントによって互いに結合されており、ロッカーピン３０の端面が、リンクプレートチェーンと円錐形ディスクとの間で摩擦力を伝達する。リンクプレートチェーンが、３列反復型リンクプレート編成におけるチェーンパターンを有しており、３列反復型リンクプレート編成では、連続する３つのリンク（三つ組リンク１０）、つまり、第１のリンク１４、第２のリンク１６および第３のリンク１８が、リンクプレートチェーンの走行方向に対して横方向に、シングルリンクプレートおよびダブルリンクプレートを備えたそれぞれ異なるリンクプレート配列を有していて、チェーンの長手方向で繰り返されている。第１のリンク１４がシングルリンクプレートからのみ成っており、第２のリンク１８がシングルリンクプレートおよび／またはダブルリンクプレートから成っていて、このとき、外側のリンクプレートがシングルリンクプレートであり、第３のリンク２０がダブルリンクプレートからのみ成っていることが特定されている。
【００３７】
好適には、個々のリンクにおけるリンクプレート２８の長さがそれぞれ異なっている。特に二種類の長さのリンクプレートが設けられており、それぞれ異なる長さのリンクがチェーン走行方向にわたって不等に配置されている。
【００３８】
リンクプレートチェーンは、有利には、その走行方向に対して横方向に６つのリンクプレート２８を備えた少なくとも１つのブロック３４から構成されており、このブロック３４が１つの三つ組リンク１０を形成している。特に複数のブロック３４が走行方向に対して横方向に並列されている。好適には、ブロック３４によって、一種の組立てキットの形態でそれぞれ異なる幅のリンクプレートチェーンが形成可能となることが特定されている。
【００３９】
特にダブルリンクプレートが、シングルリンクプレートよりも大きな厚さ、特に二倍のリンクプレート厚さを有する単一の肉厚リンクプレートによって置き換えられていることが特定されている。
【符号の説明】
【００４０】
１０  三つ組リンク
１２  双方向矢印（走行方向）
１４  第１のチェーンリンク
１６  第２のチェーンリンク
１８  第３のチェーンリンク
２０  双方向矢印（横方向）
２２  リンクプレート配列
２４  第１のリンクプレートユニット
２６  第２のリンクプレートユニット
２８  リンクプレート
３０  ロッカーピン
３２  トリプルリンクプレートユニット
３４  ブロック
３６  チェーンピース
【図１】
2018525582.tif 000003
【図２ａ】
2018525582.tif 000004
【図２ｂ】
2018525582.tif 000005
【図３】
2018525582.tif 000006
【図４】
2018525582.tif 000007
【図５】
2018525582.tif 000008
【図６ａ】
2018525582.tif 000009
【図６ｂ】
2018525582.tif 000010
【国際調査報告】
2018525582.tif 000011
2018525582.tif 000012
2018525582.tif 000013
2018525582.tif 000014
2018525582.tif 000015
2018525582.tif 000016